(57)【要約】【課題】入浴者の操作作業を軽減させ、かつ心拍数や体脂肪率などの生体情報を容易に記憶させることのできる浴室システムを提供する。【解決手段】浴槽Ｂ内に給湯を行うための給湯置本体１と、この給湯置本体１によって給湯された浴槽Ｂ内にいる入浴者の生体情報を計測するための計測装置４と、この計測装置４によって計測された心拍数のデータを記憶するＥＥＰＲＯＭ４４とを備える浴室システムであって、計測装置４は、撮像センサ５によって撮像された撮像信号に基づいて、浴室内にいる入浴者を識別し、識別された入浴者ごとに、計測した心拍数をＥＥＰＲＯＭ４４に記憶させる。【選択図】  図７
2004358125.tif 000002
【特許請求の範囲】
【請求項１】
浴槽内に給湯を行うための給湯手段と、この給湯手段によって給湯された浴槽内にいる入浴者の生体情報を計測するための計測手段と、この計測手段によって計測された生体情報を記憶する記憶手段とを備える浴室システムであって、
浴室内にいる入浴者を識別するための入浴者識別手段と、
前記入浴者識別手段によって識別された入浴者ごとに、前記計測手段によって計測された生体情報を前記記憶手段に記憶させる記憶実行手段と、
を備えることを特徴とする浴室システム。
【請求項２】
前記記憶実行手段は、前記計測手段によって計測された入浴者の生体情報を、計測時の時刻情報を加味して前記記憶手段に記憶させる、請求項１に記載の浴室システム。
【請求項３】
前記記憶実行手段によって記憶された入浴者の生体情報を入浴者ごとに読み出し可能な読み出し手段を備える、請求項１または２に記載の浴室システム。
【請求項４】
前記入浴者識別手段は、
浴室内にいる入浴者を撮像する撮像手段と、
この撮像手段によって撮像された入浴者の特徴データを抽出し、予め記憶された入浴者の特徴データと対比して、前記撮像手段によって撮像された入浴者が予め特徴データが記憶された入浴者であるか否かを判別する判別手段とによって構成されている、請求項１ないし３のいずれかに記載の浴室システム。
【請求項５】
前記入浴者識別手段は、
前記浴室の浴槽内の水位を検出する水位検出手段と、
この水位検出手段による水位変化に基づいて入浴者の体積データを算出し、予め記憶された入浴者の体積データと対比して、前記水位検出手段に基づいて算出された体積データを有する入浴者が予め体積データが記憶された入浴者であるか否かを判別する判別手段とによって構成されている、請求項１ないし３のいずれかに記載の浴室システム。
【請求項６】
前記入浴者識別手段は、
前記浴室の浴槽内における入浴者の心拍波形を検出する心拍波形検出手段と、
この心拍波形検出手段によって検出された心拍波形データと、予め記憶された入浴者の心拍波形データとを対比して、前記心拍波形検出手段によって検出された心拍波形データを有する入浴者が予め心拍波形データが記憶された入浴者であるか否かを判別する判別手段とによって構成されている、請求項１ないし３のいずれかに記載の浴室システム。
【発明の詳細な説明】
【０００１】
【発明の属する技術分野】
本願発明は、入浴中に心拍数や体脂肪率などの生体情報を計測することのできる浴室システムに関する。
【０００２】
【従来の技術】
従来より、浴槽などに給湯を行うものとしては、給湯装置本体と、それに２芯線などによって接続された浴室リモコンや台所リモコンとを備えて構成された浴室システムがある。
【０００３】
給湯装置本体は、給湯用、風呂追い焚き用および温水暖房用などの熱交換器を備える燃焼ユニットと、この燃焼ユニットを制御するマイクロコンピュータ（以下、単に「マイコン」という。）を備える制御部とが設けられている。一方、浴室リモコンや台所リモコンは、給湯装置本体の給湯運転を遠隔操作するためのものであり、操作スイッチや液晶表示器などを有する操作表示部が備えられている。
【０００４】
ところで、上記浴室システムにおいては、入浴しているユーザの心拍数や体脂肪率を計測するための計測装置が備えられ、計測装置で計測された心拍数や体脂肪率が浴室リモコンなどの操作表示部に表示されるものが提案されている（たとえば、特許文献１および特許文献２参照）。
【０００５】
【特許文献１】
特開平１０−１２７５９１号公報
【特許文献２】
特開２００２−２８２２１６号公報
【０００６】
【発明が解決しようとする課題】
また、心拍数などを計測、表示することのできる浴室システムでは、浴室リモコンに表示された心拍数などを記憶することができるものも提案されている。しかしながら、たとえば住宅内の浴室は、複数のユーザ（たとえば家族全員）によって利用されることが多いため、ユーザは、計測された心拍数などのデータを記憶させるとき、識別情報としてたとえばユーザ自身の名前を浴室リモコンを通じて入力操作する必要がある。あるいは、予め設定された複数のユーザの登録情報の中から自己の登録情報を選択操作する必要がある。
【０００７】
また、過去に記憶された心拍数などのデータを読み出すときにも、上記識別情報を入力操作したり、自己の登録情報を選択操作したりする必要があり、ユーザにとっては手間のかかる作業が生じていた。また、ユーザ自身の名前を入力操作する場合、浴室システムのリモコンには浴室システムの機能に関する必要最小限の操作ボタンしか設けられていないので、たとえば高齢のユーザでは入力ミスを起こす可能性があり、利便性が高いとは言い難かった。
【０００８】
【発明の開示】
本願発明は、上記した事情のもとで考え出されたものであって、入浴者の操作作業を軽減させ、かつ心拍数や体脂肪率などの生体情報を容易に記憶させることのできる浴室システムを提供することを、その課題とする。
【０００９】
上記の課題を解決するため、本願発明では、次の技術的手段を講じている。
【００１０】
本願発明によって提供される浴室システムは、浴槽内に給湯を行うための給湯手段と、この給湯手段によって給湯された浴槽内にいる入浴者の生体情報を計測するための計測手段と、この計測手段によって計測された生体情報を記憶する記憶手段とを備える浴室システムであって、浴室内にいる入浴者を識別するための入浴者識別手段と、前記入浴者識別手段によって識別された入浴者ごとに、前記計測手段によって計測された生体情報を前記記憶手段に記憶させる記憶実行手段と、を備えることを特徴としている。
【００１１】
上記構成によれば、入浴者識別手段によって浴室内にいる入浴者が識別され、識別された入浴者ごとに、計測手段によって計測された入浴者の生体情報（心拍数や体脂肪率など）を記憶手段に記憶させるので、入浴者は、計測された生体情報を記憶させるとき、たとえば自己の名前といった識別情報を設定入力する必要や複数のユーザの登録情報の中から自己の登録情報を選択操作する必要がなくなる。また、設定入力すること自体がなくなるので、入力操作ミスを無くすることができる。したがって、利便性の高い浴室システムを提供することができる。
【００１２】
好ましい実施の形態によれば、前記記憶実行手段は、前記計測手段によって計測された入浴者の生体情報を、計測時の時刻情報を加味して前記記憶手段に記憶させるようにしてもよい。これによれば、上記のように入浴者の生体情報を計測時の時刻情報を加味して記憶すれば、たとえば入浴者ごとに、過去の正確な計測時刻における生体情報と今回計測した生体情報とを比較することができる上、過去の生体情報の推移を把握することもできるので、現在の健康状態を適格に評価することができる。
【００１３】
また、他の好ましい実施の形態によれば、前記記憶実行手段によって記憶された入浴者の生体情報を入浴者ごとに読み出し可能な読み出し手段を備えていてもよい。これによれば、記憶されている生体情報を読み出すときでも、入浴者識別手段によって自己が識別されているので、あらためて上記識別情報をユーザが設定入力する必要がない。また、たとえば他の入浴者の生体情報と自己の生体情報とを読み出して表示させることができ、互いにそれらの生体情報の値を比較するといったことができる。
【００１４】
他の好ましい実施形態によれば、前記入浴者識別手段は、浴室内にいる入浴者を撮像する撮像手段と、この撮像手段によって撮像された入浴者の特徴データを抽出し、予め記憶された入浴者の特徴データと対比して、前記撮像手段によって撮像された入浴者が予め特徴データが記憶された入浴者であるか否かを判別する判別手段とによって構成されていてもよい。ここで、特徴データとは、入浴者の体型の輪郭を２値化して表した画像データであってもよいし、入浴者の体の部分を数値化したデータ（肩幅、胴幅、腕の長さなど）であってもよい。
【００１５】
また、前記入浴者識別手段は、前記浴室の浴槽内の水位を検出する水位検出手段と、この水位検出手段による水位変化に基づいて入浴者の体積データを算出し、予め記憶された入浴者の体積データと対比して、前記水位検出手段に基づいて算出された体積データを有する入浴者が予め体積データが記憶された入浴者であるか否かを判別する判別手段とによって構成されていてもよい。
【００１６】
あるいは、前記入浴者識別手段は、前記浴室の浴槽内における入浴者の心拍波形を検出する心拍波形検出手段と、この心拍波形検出手段によって検出された心拍波形データと、予め記憶された入浴者の心拍波形データとを対比して、前記心拍波形検出手段によって検出された心拍波形データを有する入浴者が予め心拍波形データが記憶された入浴者であるか否かを判別する判別手段とによって構成されていてもよい。
【００１７】
本願発明のその他の特徴および利点は、添付図面を参照して以下に行う詳細な説明によって、より明らかとなろう。
【００１８】
【発明の実施の形態】
以下、本願発明の好ましい実施の形態を、添付図面を参照して具体的に説明する。
【００１９】
＜第１実施形態＞
図１は、本願発明の第１実施形態にかかる浴室システムを示す概略構成図である。図２は、この浴室システムの電気的構成を示す図である。この浴室システムは、給湯装置本体１と、これを遠隔操作するための台所リモコン２および浴室リモコン３と、入浴者の心拍数を計測するための計測装置４と、浴室内にいる入浴者を撮像するための撮像センサ５と、浴槽Ｂ内に入った入浴者の心拍数を検出するための複数の心拍電極６ａ，６ｂ，６ｃ（以下、総称するときは「心拍電極６」という。）とによって概略構成されている。給湯装置本体１は、２芯線７を介して台所リモコン２、浴室リモコン３、および計測装置４を接続している。
【００２０】
給湯装置本体１は、たとえば住宅の屋外に設置され、図２に示すように、給湯用、風呂追い焚き用、または温水暖房用の熱交換器、各種燃焼器、および各種バルブなど（いずれも図示せず）を含む燃焼ユニット１０と、給湯装置本体１の全体動作を制御する制御部１１とを備えている。
【００２１】
制御部１１は、たとえば電子部品が搭載されたプリント基板によって構成され、マイクロコンピュータ１２（以下、「本体側マイコン１２」という）、ＥＥＰＲＯＭ１３、および通信部１４などを有している。本体側マイコン１２は、給湯装置本体１の制御中枢となるものであり、図示しないＲＯＭに記憶されている運転実行プログラム、あるいは台所リモコン２、浴室リモコン３や図示しない暖房用機器などから送られる操作信号などに基づいて、各種燃焼器の燃焼状態や各種バルブの開閉を制御する。
【００２２】
ＥＥＰＲＯＭ１３は、各種のデータを必要に応じて記憶するものである。
【００２３】
通信部１４は、台所リモコン２や浴室リモコン３との通信を行うためのものであり、所定の変復調方式に基づいた変復調回路によって構成されている。給湯装置本体１から台所リモコン２および浴室リモコン３に対しては、２芯線７を介して電源供給（たとえばＤＣ１５Ｖ）がされており、上記通信部１４において変調されたデータ信号は、電源電圧に重畳され、この２芯線７を介して台所リモコン２および浴室リモコン３に伝達される。また、台所リモコン２および浴室リモコン３から上記２芯線７を介して伝達された操作信号としてのデータ信号は、上記通信部１４において復調され、本体側マイコン１２に送られる。
【００２４】
台所リモコン２は、図３に示すように、たとえばキッチンの流し台近傍に設置された略直方体形状のケースを備えており、ユーザによる操作に基づいて、給湯装置本体１を遠隔操作するためのものである。台所リモコン２は、制御部２１、通信部２２、表示部２３、および操作部２４を備えている。制御部２１は、マイクロコンピュータ２５（以下、単に「台所側マイコン２５」という）、およびＥＥＰＲＯＭ２６を備えている。
【００２５】
台所側マイコン２５は、この台所リモコン２の制御を司るものであり、図示しないＲＯＭによって記憶されている運転実行プログラムや、ユーザによる操作部２４の操作内容に基づいて、各部の動作制御やデータ処理を実行し、たとえば給湯温度、風呂湯温の設定温度、およびバーナの点火状況などを必要に応じて表示部２３に表示させたり、スピーカ２４ｅ（後述）から給湯運転に関する音声を出力させたりする。
【００２６】
また、台所側マイコン２５は、計測装置４によって計測された入浴者の心拍数の情報を受け取ると、それを表示部２３に表示させたり、スピーカ２４ｅ（後述）から心拍数に関する音声を出力させたりする機能を有する。
【００２７】
ＥＥＰＲＯＭ２６は、各種のデータを必要に応じて記憶するものである。
【００２８】
通信部２２は、給湯装置本体１や浴室リモコン３との通信を行うためのものであり、所定の変復調方式に基づいた変復調回路によって構成されている。給湯装置本体１または浴室リモコン３から２芯線７を介して伝達されたデータ信号は、この通信部２２において復調され、台所側マイコン２５に送られる。また、通信部２２において変調されたデータ信号は、２芯線７を介して給湯装置本体１または浴室リモコン３に伝達される。
【００２９】
表示部２３は、図３に示したように、たとえば多数の蛍光体をドットマトリクス状に配置した蛍光管や液晶ディスプレイ装置などからなり、台所側マイコン２５からの指令により風呂湯の設定温度やバーナの点火状況などを表示する。さらに、計測装置４によって計測された入浴者の心拍数の情報を表示する。そのため、たとえば高齢者や要介護者などが入浴しているときに、その入浴者の状態を入浴者の心拍数などを通じて台所において監視することができる。
【００３０】
操作部２４は、ユーザによって給湯運転や暖房運転などを行うために操作されるものであって、複数のキースイッチからなる。具体的には、運転の発停を行うためのスイッチ２４ａ、湯水の温度の設定などといった各種の設定を行うための設定スイッチ２４ｂ、ユーザの操作により自動で湯張りや保温などを行うための風呂自動スイッチ２４ｃ、および台所にいる者が必要に応じて入浴者と通話するための通話スイッチ２４ｄなどが設けられている。ユーザによって、これらのキースイッチが操作されると、その操作信号が台所側マイコン２５に送られる。なお、図３中、符号２４ｅはスピーカを示す。
【００３１】
一方、浴室リモコン３は、図４に示すように、浴室内の浴槽Ｂの近傍などに設置された、防水機能が施されたケースを備えており、台所リモコン２と同様に、給湯装置本体１を遠隔操作するためのものである。浴室リモコン３は、図２に示すように、制御部３１、通信部３２、表示部３３、および操作部３４を備えている。制御部３１は、マイクロコンピュータ３５（以下、単に「浴室側マイコン３５」という）、およびＥＥＰＲＯＭ３６を備えている。
【００３２】
浴室側マイコン３５は、この浴室リモコン３の制御を司るものであり、図示しないＲＯＭによって記憶されている実行プログラムや、ユーザによる操作部３４の操作内容に基づいて、各部の動作制御やデータ処理を実行し、たとえば給湯温度、風呂湯温の設定温度、およびバーナの点火状況などを必要に応じて表示部３３に表示させたり、スピーカ３４ｇ（後述）から給湯運転に関する音声を出力させたりする。
【００３３】
また、浴室側マイコン３５は、計測装置４によって計測された入浴者の心拍数の情報を受け取ると、それを表示部３３に表示させたり、スピーカ３４ｇ（後述）から心拍数に関する音声を出力させたりする機能を有する。
【００３４】
ＥＥＰＲＯＭ３６は、各種のデータを必要に応じて記憶するものである。
【００３５】
通信部３２は、給湯装置本体１や台所リモコン２との通信を行うためのものであり、所定の変復調方式に基づいた変復調回路によって構成されている。給湯装置本体１または台所リモコン２から２芯線７を介して伝達されたデータ信号は、この通信部３２において復調され、浴室側マイコン３５に送られる。また、通信部３２において変調された信号は、２芯線７を介して給湯装置本体１または台所リモコン２に伝達される。
【００３６】
表示部３３は、図４に示すように、たとえば多数の蛍光体をドットマトリクス状に配置した蛍光管や液晶ディスプレイ装置などからなり、台所リモコン２の表示部２３と同様に、浴室側マイコン３５からの指令により風呂湯の設定温度やバーナの点火状況などを表示する。さらに、計測装置４によって計測された入浴者の心拍数の情報を表示する。
【００３７】
操作部３４は、ユーザによって給湯運転を入力するために操作されるものであって、複数のキースイッチからなる。具体的には、運転の発停を行うためのスイッチ３４ａ、湯水の温度の設定などといった各種の設定を行うための設定スイッチ３４ｂ、優先スイッチ３４ｃ、ユーザが操作をすると自動で湯張りや保温などを行うための風呂自動スイッチ３４ｄ、追い焚き運転を行うための追い焚きスイッチ３４ｅ、および入浴者が必要に応じて台所にいる者と通話するための通話スイッチ３４ｆなどが設けられている。ユーザによって、これらのキースイッチが操作されると、その操作信号が浴室側マイコン３５に送られる。なお、図４中、符号３４ｇはスピーカを示す。
【００３８】
図１および図２に戻り、計測装置４は、入浴者の心拍数を計測するためのものであり、浴室内の浴槽Ｂに設けられている。計測装置４は、制御部４１および通信部４２を備えている。制御部４１は、マイクロコンピュータ４３（以下、単に「計測側マイコン４３」という）、ＥＥＰＲＯＭ４４、画像処理部４５、および信号処理部４６を備えている。画像処理部４５には撮像センサ５が接続され、信号処理部４６には複数の心拍電極６が接続されている。
【００３９】
計測側マイコン４３は、この計測装置４の制御を司るものであり、図示しないＲＯＭによって記憶されている実行プログラムや撮像センサ５および心拍電極６からの出力に基づいてデータ処理を実行する。たとえば、計測側マイコン４３は、心拍電極６によって検出された心拍電圧に基づいて、入浴者の心拍数を演算によって求める。また、計測側マイコン４３は、画像処理部４５からの画像信号に基づいて、浴室に入る入浴者を識別するための処理を行う。
【００４０】
ＥＥＰＲＯＭ４４は、各種のデータを必要に応じて記憶するものである。特に、ＥＥＰＲＯＭ４４には、複数のユーザの輪郭を表す輪郭データ（以下、「登録輪郭データ」という）がユーザごとに予め記憶されている。この登録輪郭データは、浴室内に入った入浴者を識別するために用いられるものであり、予め撮像センサ５によってユーザ（たとえば家族全員）をたとえば正面から撮像した撮像信号に基づいて、ユーザの体全体または一部の輪郭を２値化して表した画像データである。この登録輪郭データは、ユーザが入浴者として浴室内に入ったときに撮像センサ５によって撮像され画像処理される輪郭データ（以下、「対象輪郭データ」という）と比較され、この比較結果により、浴室内に入ってきたユーザが識別される。
【００４１】
また、ＥＥＰＲＯＭ４４には、図５に示すように、ユーザごとの心拍数のデータを記憶するための記憶領域が心拍数記憶テーブルの形で設けられている。この心拍数記憶テーブルには、ユーザ名、過去（たとえば１０回）の心拍数の計測データ、各計測データの計測日時などがユーザごと（父、母、おばあちゃんなど）に記憶されている。計測装置４によって入浴者の心拍数が計測されユーザによって記憶指示の入力操作があると、計測された心拍数のデータが計測日時とともにこのＥＥＰＲＯＭ４４に格納される。また、このＥＥＰＲＯＭ４４に記憶された心拍数のデータは、必要に応じて計測側マイコン４３によって読み出され、たとえば浴室リモコン３の表示部３３に表示される。なお、心拍数のデータは、記憶領域がフルの場合、新規にデータが記憶されるごとに、古いデータから消去されるようになっている。
【００４２】
通信部４２は、給湯装置本体１との通信を行うためのものであり、所定の変復調方式に基づいた変復調回路によって構成されている。給湯装置本体１から２芯線７を介して伝達されたデータ信号は、この通信部４２において復調され、計測側マイコン４３に送られる。また、通信部４２において変調された信号は、２芯線７を介して給湯装置本体１、台所リモコン２、または浴室リモコン３に伝達される。
【００４３】
また、計測装置４は、給湯装置本体１からこの２芯線７を介して電源供給（たとえばＤＣ１５Ｖ）がされており、上記したデータ信号は、電源電圧に重畳されて送られる。
【００４４】
信号処理部４６は、心拍電極６によって検出された心拍信号としてのアナログ信号を所定のディジタル信号に変換して計測側マイコン４３に与えるものである。より具体的には、信号処理部４６は、図６に示すように、心拍電極６によって検出された心拍信号に含まれる高周波のインパルスノイズを除去するための第１フィルタ回路４６ａと、この第１フィルタ回路４６ａによって得られた心拍信号を増幅するための差動増幅回路４６ｂと、差動増幅回路４６ｂによって増幅された心拍信号に含まれる電源周波数より高い周波数のノイズを除去するための第２フィルタ回路４６ｃと、この第２フィルタ回路４６ｃによって得られた心拍信号をさらに増幅するための増幅回路４６ｄとを有している。
【００４５】
心拍電極６は、図１に示したように、浴槽Ｂ内に設けられている。詳細には、心拍電極６ａ，６ｂは、浴槽Ｂ内に溜められた湯水に浸っている入浴者の両側、すなわち浴槽Ｂの左右両側壁に設けられている。また、心拍電極６ｃは、浴槽Ｂの一端側側壁に設けられている。心拍電極６ａ，６ｂ，６ｃは、浴槽Ｂにおいてほぼ同様の高さ位置に配置されている。この心拍電極６によって検出された心拍信号は、計測装置４の信号処理部４６に送られる。
【００４６】
画像処理部４５は、撮像センサ５によって撮像された撮像信号に基づいて、ユーザの体の輪郭を示す対象輪郭データを生成するものである。すなわち、画像処理部４５は、撮像信号を取り込むと、アナログ−ディジタル変換処理を行い、画像の各画素の濃淡によって２値化された画像データ（対象輪郭データ）を取得する。この対象輪郭データは、計測側マイコン４３に送られ、計測側マイコン４３によってＥＥＰＲＯＭ４４に記憶されている登録輪郭データと比較され、浴室に入った入浴者が識別される。
【００４７】
撮像センサ５は、浴室内に入った入浴者を撮像するものである。この撮像センサ５は、たとえば人工網膜センサによって構成され、図１に示したように、浴室内の天井部や側壁部などに設けられている。特に、撮像センサ５は、浴室のドアＤから入室するユーザを撮像しやすいように、浴室のドアＤの正面奥部に配されることが望ましい。撮像センサ５の出力は、浴室内に設けられた計測装置４に直接的に送られる。なお、撮像センサ５の出力は、給湯装置本体１に直接的に送られてもよく、この場合、給湯装置本体１に画像処理部４５が設けられる。また、撮像センサ５は、上記に限らず、固体撮像素子を有するカメラや焦電型赤外線センサなどによって構成されていてもよい。
【００４８】
次に、上記の構成における動作について、図７に示すフローチャートを参照して説明する。
【００４９】
まず、システムが運用される準備作業として、ユーザは、予め入浴者ごとに個々の登録輪郭データを登録しておく必要がある。たとえば、ユーザは、撮像センサ５によって自己の体を撮像する。これによって撮像された撮像信号は、画像処理部４５において画像処理され、入浴者ごとの登録輪郭データとして抽出され、ユーザごとにＥＥＰＲＯＭ４４に記憶される。
【００５０】
次に、実際に心拍数が計測される場合を説明する。入浴予定の入浴者が浴室に入ると、撮像センサ５の撮像が開始される（Ｓ１）。たとえば浴室のドアＤ近傍には、ドアＤの開閉を検知する開閉検知センサ（図示略）が設けられ、撮像センサ５は、この開閉検知センサの出力に基づいて、その撮像が開始される。すなわち、入浴者がドアＤを開けることにより撮像センサ５が入浴者の体を撮像する。なお、撮像センサ５の撮像開始は、たとえば浴室の電灯スイッチ（図示略）のオン操作などに基づいて行われてもよい。
【００５１】
撮像センサ５によって浴室内に入った入浴者が撮像されると、その撮像信号は、画像処理部４５に送られる。画像処理部４５では、所定の画像処理が行われ、入浴者の体の輪郭を表す対象輪郭データが抽出され（Ｓ２）、その対象輪郭データは、計測側マイコン４３に送られる。
【００５２】
計測側マイコン４３は、対象輪郭データと登録輪郭データとの比較判定処理を行う（Ｓ３）。詳細には、計測側マイコン４３は、撮像センサ５によって撮像され画像処理部４５において画像処理された、入浴者の対象輪郭データと、ＥＥＰＲＯＭ４４に予め記憶されている複数のユーザの登録輪郭データとを比較する。次いで、計測側マイコン４３は、対象輪郭データと登録輪郭データとがほぼ一致するか否かの判別を行い（Ｓ４）、この判別結果に基づいて浴室内にいるユーザを識別する。
【００５３】
計測側マイコン４３は、ステップＳ４において、対象輪郭データと登録輪郭データとがほぼ一致すると判別すると（Ｓ４：ＹＥＳ）、すなわち、浴室内に入った入浴者を識別すると、心拍数の計測処理を行う（Ｓ５）。具体的には、心拍電極６は、浴槽Ｂ内にいるユーザの心拍を検出すると、検出された検出信号は、計測装置４の信号処理部４６に伝達される。信号処理部４６では、心拍電極６によって検出された心拍信号をアナログ−ディジタル変換した後、サンプリングし、所定のディジタル信号に変換した上で、それを計測側マイコン４３に伝達する。
【００５４】
計測側マイコン４３は、信号処理部４６からの検出信号を受信すると、それに基づいてユーザ（入浴者）の心拍数を計測する。計測側マイコン４３は、計測した心拍数をデータにして通信部４２および２芯線７を介して浴室リモコン３に伝達する。
【００５５】
浴室リモコン３は、計測装置４から伝達された心拍数のデータを受信すると、それを外部に報知する（Ｓ６）。すなわち、浴室リモコン３は、心拍数のデータを表示部３３に心拍数として表示する。また、浴室リモコン３は、心拍数を音声にして操作部３４のスピーカ３４ｇから出力する。これにより、入浴者は、自己の心拍数を把握することができる。
【００５６】
なお、心拍数のデータは、給湯装置本体１から台所リモコン２に送られ、台所リモコン２において表示や音声が出力されてもよい。これにより、台所にいるユーザは、台所リモコン２における表示およびスピーカ２４ｅからの音声により、入浴者の心拍数を確認することができるとともに、入浴者が浴槽Ｂ内にはいっており心拍検出が良好に行われたことを把握することができる。
【００５７】
次いで、浴室側マイコン３５は、計測した心拍数を記憶する旨のユーザによる操作指示入力があるか否かの判別を行う（Ｓ７）。ユーザによる操作指示入力があると判別すると（Ｓ７：ＹＥＳ）、その旨を計測側マイコン４３に送る。
【００５８】
計測側マイコン４３では、浴室側マイコン３５からユーザによる操作指示入力がある旨のコマンド信号を受けると、計測された心拍数のデータを記憶する処理を行う（Ｓ８）。具体的には、図５に示したＥＥＰＲＯＭ４４の心拍数記憶テーブルにおいて、識別したユーザの記憶領域に、計測した心拍数、その計測日時が新たに記憶される。心拍数記憶テーブルには、図５に示すように、たとえば最大１０個の計測心拍数のデータを記憶させることができ、記憶領域がフルのときには、古いデータから消去されるようになっている。なお、記憶されるデータの最大数は、上記１０個に限るものではない。
【００５９】
次に、計測側マイコン４３は、今回計測した心拍数と、前回計測した心拍数とを比較し、その差が所定数以上であるか否かの判別を行う（Ｓ９）。今回計測した心拍数と前回計測した心拍数の差が所定数以上である場合（Ｓ９：ＹＥＳ）、その旨のコマンド信号を浴室リモコン３に伝達する。
【００６０】
浴室リモコン３は、計測装置４から今回計測した心拍数と前回計測した心拍数の差が所定数以上であるといった旨のコマンド信号を受け取ると、その内容を表示部３３に表示する（Ｓ１０）。あるいは、スピーカ３４ｇを通じて音声出力する。これにより、入浴者は、今回計測された心拍数が前回計測された心拍数に比べ所定数大きいことを把握することができる。
【００６１】
その後、浴室側マイコン３５は、過去に計測した心拍数を読み出しする旨のユーザによる操作指示入力があるか否かの判別を行う（Ｓ１１）。ユーザによる操作指示入力があると判別すると（Ｓ１１：ＹＥＳ）、その旨を計測側マイコン４３に送る。この場合、ユーザは、記憶されている複数個の心拍数のデータのうち、報知させるべき心拍数のデータを計測日時に基づいて任意に指示することができる。
【００６２】
計測側マイコン４３では、浴室側マイコン３５からユーザによる操作指示入力がある旨のコマンド信号を受けると、読み出し処理を行う（Ｓ１２）。すなわち、計測側マイコン４３は、ＥＥＰＲＯＭ４４の心拍数記憶テーブルから該当する心拍数のデータおよび計測日時を読み出し、浴室リモコン３に送り返す。浴室リモコン３は、計測装置４から送られた心拍数のデータおよび計測日時を受け取ると、それを表示部３３に表示する。あるいは、スピーカ３４ｇを通じて音声出力する。
【００６３】
これにより、入浴者は、過去の心拍数のデータを把握することができ、たとえば今回計測した心拍数と比較することができる。また、心拍数のデータには、計測日時が付加されているので、たとえば過去の心拍数の推移を把握することもできるので、現在の健康状態を適格に評価することができる。
【００６４】
また、上記のように、過去に計測された心拍数のデータを読み出す場合、撮像センサ５によって撮像されて自己が識別されているため、再度、自己の名前などを入力する手間を省くことができる。あるいは、予め設定された複数のユーザの登録情報の中から自己の登録情報を選択操作する必要がない。また、たとえば他の入浴者の心拍数のデータを読み出して表示させれば、それと自己の心拍数のデータとを互いに比較するといったことができる。
【００６５】
ステップＳ７において、ユーザによる操作指示入力がないと判別した場合（Ｓ７：ＮＯ）、あるいは、ステップＳ９において、今回計測した心拍数と前回計測した心拍数との差が所定数以上でないと判別した場合（Ｓ９：ＮＯ）、ともにステップＳ１１に進む。
【００６６】
一方、ステップＳ４において、対象輪郭データと登録輪郭データとがほぼ一致しないと判別すると（Ｓ４：ＮＯ）、計測側マイコン４３は、浴室に入った入浴者が登録されていないユーザであると認識する。そして、心拍数の計測処理を行い（Ｓ１３）、浴室リモコン３において計測した心拍数を報知し（Ｓ１４）、心拍数などの記憶を行わないで処理を終了する。なお、ステップＳ４において、計測側マイコン４３は、登録されていないユーザであると認識した場合には、新たにＥＥＰＲＯＭ４４に当該ユーザの記憶領域を確保し、心拍数のデータを記憶するようにしてもよい。
【００６７】
このように、この実施形態によれば、撮像センサ５によって浴室内に入ってきたユーザを撮像して、予め登録されたユーザの登録輪郭データと比較することにより、浴室内にはいってきたユーザを識別することができる。そのため、計測した心拍数のデータを記憶するとき、計測するたびに自己の名前などを入力操作する必要がない。あるいは、予め設定された複数のユーザの登録情報の中から自己の登録情報を選択操作する必要がない。また、設定入力すること自体がなくなるので、入力操作ミスを無くすることができる。したがって、利便性の高い浴室システムを提供することができる。
【００６８】
なお、上記実施形態の変形例として、図８に示すように、撮像センサ５、画像処理部４５（図２参照）と同一機能を有する画像処理部５１、および通信部４２と同一機能を有する通信部５２が一体的に備えられた撮像装置５０が設けられ、画像処理データが撮像装置５０から２芯線７を介して各マイコンに送信されるシステムが採用されてもよい。
【００６９】
＜第２実施形態＞
図９は、第２実施形態にかかる浴室システムの概略構成を示す図、図１０は、第２実施形態にかかる浴室システムの電気的構成を示す図である。この浴室システムの特徴は、第１実施形態において計測された心拍数に代えて、体脂肪率が計測される点にある。構成において第１実施形態と異なる点を説明すると、この第２実施形態では、浴槽Ｂ内の水位を検出するための水位検出センサ９が設けられ、計測装置４には、水位検出センサ９からの出力を計測側マイコン４３に与えるためのＩ／Ｏ部４７が備えられている。また、この第２実施形態の構成では、心拍数を検出するための心拍電極６および信号処理部４６が削除されている。その他の構成については、第１実施形態と略同様である。
【００７０】
水位検出センサ９は、体脂肪率を計測する上で、入浴者の体積を取得するために設けられたものであり、たとえば浴槽Ｂの水頭圧と大気圧との差圧によって水位を検出するものである。そのため、受圧部の大気側は、ブリーザパイプ９ａ（図９参照）によって浴室外（大気）に開放されている。この水位検出センサ９によって検出された検出信号は、たとえば計測装置４に送られ処理される。
【００７１】
なお、この水位検出センサ９に代えて、たとえば給湯装置本体１に設けられた圧力センサによって湯水の水位を検出するようにしてもよい。すなわち、この圧力センサは、浴槽Ｂと給湯装置本体１とを接続する給湯配管（図示略）の一端である、給湯装置本体１側に設けられ、給湯配管内の圧力を検出することにより、浴槽Ｂ内に溜められた湯水の水位上昇を検出するものである。この圧力センサによって検出された検出信号は、たとえば計測装置４に送られ処理される。
【００７２】
図１１は、第２実施形態にかかる浴室システムの動作を示すフローチャートである。このフローチャートにおける動作は、第１実施形態のフローチャート（図７参照）における動作に比べ、体脂肪率計測処理（Ｓ２５およびＳ３３）が心拍数計測処理（Ｓ５およびＳ１３）に代えて行われる点で異なる。以下、主に異なる点について説明する。
【００７３】
体脂肪率を計測する場合、この浴室システムが運用される準備作業として、ユーザは、予め入浴者ごとに、上記した登録輪郭データを入力することに加えて、入浴者ごとに、性別、年齢、身長および体重などの個人情報を入力する必要がある。これらの個人情報は、たとえばＥＥＰＲＯＭ４４に格納され、後述する首上体積や体内残気量を算出する際に用いられる。
【００７４】
ステップＳ２５の体脂肪率計測処理においては、後述するように、Ｂｒｏｚｅｋの体脂肪率算出式を用いて体脂肪率が計測される。まず、水位検出センサ９によって入浴者の浴槽Ｂ内の湯水に浸かる前後の水位が検出される。具体的には、図１２に示すように、入浴者が浴室リモコン３を操作して体脂肪率の計測表示開始を指示すると、水位検出センサ９によって入浴前の水位Ｈ１が検出され（Ｓ４１）、計測装置４のＲＡＭ（図示略）などに記憶される。入浴者は、浴槽Ｂ内の湯水に首まで浸かり、再び浴室リモコン３を操作して入浴後の水位の測定開始を指示すると、水位検出センサ９によって入浴後の水位Ｈ２が検出され（Ｓ４２）、計測装置４のＲＡＭなどに記憶される。
【００７５】
次に、計測側マイコン４３は、入浴前後の水位の差に基づいて、入浴者の首下体積Ｖｕを算出し（Ｓ４３）、予め入力した、入浴者の個人情報（性別、年齢、身長、体重など）をＥＥＰＲＯＭ４４から読み出し、これらの個人情報に基づいて、首上体積Ｖｔを求め（Ｓ４４）、この首上体積Ｖｔを首下体積Ｖｕに加算して入浴者の全身体積Ｖｗを算出する（Ｓ４５）。さらに、入浴者の個人情報に基づいて、体内残気量Ｖｓを求め（Ｓ４６）、この体内残気量Ｖｓを全身体積Ｖｗから差し引くことで入浴者の真の全身体積Ｖｎｅｔ  を算出する（Ｓ４７）。
【００７６】
その後、入浴者が個人情報として入力したうちの体重Ｗｔを真の全身体積Ｖｎｅｔで除算することにより、入浴者の体比重Ｗｔ／Ｖｎｅｔを算出し（Ｓ４８）、｛（４．５７／体比重）−４．１４２｝×１００＝体脂肪率（％）で示されるＢｒｏｚｅｋの体脂肪率算出式に体比重Ｗｔ／Ｖｎｅｔを代入し、これにより入浴者の体脂肪率を得る（Ｓ４９）。
【００７７】
入浴者の体脂肪率が得られると、この体脂肪率に関するデータが計測装置４から浴室リモコン３や台所リモコン２に送られ、浴室リモコン３や台所リモコン２の表示部３３，２３に入浴者の体脂肪率が表示される（図１１のＳ２６）。
【００７８】
この第２実施形態の構成によっても、撮像センサ５によって撮像して浴室内に入ったユーザを識別するので、計測された体脂肪率のデータを記憶するときに、自己の名前などを設定入力操作する必要がない。あるいは、予め設定された複数のユーザの登録情報の中から自己の登録情報を選択操作する必要がない。したがって、利便性の高い浴室システムを提供することができる。
【００７９】
なお、この発明の範囲は上述した実施の形態に限定されるものではない。たとえば、撮像センサ５は、浴室内において入浴者を多方面から撮像するために複数設けられていてもよい。このようにすれば、入浴者を識別するための画像データが増えるので、より識別精度を向上させることができる。
【００８０】
また、画像処理部４５において処理される画像データとしては、上記したような対象輪郭データに代えて、入浴者の肩幅、胴幅、頭幅、腕の長さ、足の長さ、およびそれらの割合などを数値的に表したものであってよい。
【００８１】
また、給湯装置本体１に接続されるリモコンの数は、上記の実施形態に限定されるものではない。また、計測装置４は、給湯装置本体１内に設けられていてもよく、あるいは浴室リモコン３などと一体的に構成されていてもよい。これにより、通信経路が省略でき、伝送エラーの発生する可能性を極力少なくすることができる。
【００８２】
また、図７、図１１、および図１２に示した計測側マイコン４３の動作処理は、本体側マイコン１１、台所側マイコン２５、または浴室側マイコン３５のいずれにおいて行われてもよい。
【００８３】
また、浴室内に入る入浴者を識別するための方法としては、上記した撮像センサ５による方法に代えて、たとえば水位検出センサ９の出力に基づいて入浴者を識別するようにしてもよい。すなわち、計測側マイコン４３は、水位検出センサ９の出力を常時監視するようにして、浴槽Ｂ内の水位が急激に上昇したことを水位検出センサ９が検出したとき、入浴者が浴槽Ｂ内に入ったと認識する。次いで、その認識前の水位検出センサ９による検出水位を、認識後の水位検出センサ９の検出水位から差し引くことにより、入浴者の体積を求める。そして、予め登録されている複数のユーザ（この浴室を利用する）の体積データと、水位検出センサ９による検出水位によって求められた体積データとを照合することにより、今回入浴した入浴者を識別するようにしてもよい。
【００８４】
また、浴室内に入る入浴者を識別するための方法としては、上記した撮像センサ５による方法あるいは水位検出センサ９による方法に代えて、たとえば入浴者の心拍波形に基づいて入浴者を識別するようにしてもよい。すなわち、心拍波形は、一般に、Ｑ波、Ｒ波、Ｓ波およびＴ波といった複数の波で構成される波形を有し、図１３および図１４に示すように、個人（たとえばユーザＡおよびユーザＢ）によってそれらの各波の振幅や同一波間の周期などが異なることが多い。そのため、予め入浴者の心拍波形を登録しておき、浴槽Ｂ内にはいった入浴者の心拍波形と比較することにより、入浴者を識別することができる。
【００８５】
上記心拍波形は、心拍電極６（第１実施形態参照）によって検出することができる。心拍電極６によって検出された心拍信号は、計測装置４の信号処理部４６に送られ、信号処理部４６では、心拍電極６によって検出された心拍信号をアナログ−ディジタル変換した後、サンプリングし、所定のディジタル信号に変換した上で、計測側マイコン４３に送る。
【００８６】
計測側マイコン４３は、信号処理部４６の出力、すなわち入浴者の浴槽Ｂ内における心拍波形と、予め登録されている複数のユーザ（この浴室を利用する）の心拍波形とを照合する。たとえば、予め登録される心拍波形のデータとして、各波（Ｑ波、Ｒ波、Ｓ波およびＴ波）の振幅の大きさの平均値を、たとえば４周期分の波形から求めておき、計測する心拍波形において、たとえば１０周期分連続する波形の振幅の平均値が上記予め登録される心拍波形の平均値の±５％以内の範囲にある場合、心拍波形はほぼ一致していると判別する。このようにして、入浴した入浴者を識別するようにしてもよい。
【００８７】
さらに、浴室内に入る入浴者を識別するための方法としては、入浴者の指紋に基づいて入浴者を識別するようにしてもよい。すなわち、計測側マイコン４３は、図示しない指紋センサの出力に基づいて入浴者の指紋形状を入力し、その指紋形状と、予め登録されている複数のユーザ（この浴室を利用する）の指紋形状とを照合することにより、今回入浴した入浴者を識別するようにしてもよい。
【００８８】
【発明の効果】
本願発明によれば、入浴者識別手段によって浴室内にいる入浴者が識別され、識別された入浴者ごとに、計測手段によって計測された入浴者の生体情報（心拍数や体脂肪率など）を記憶手段に記憶させるので、入浴者は、計測された生体情報を記憶させるとき、たとえば自己の名前といった識別情報を設定入力する必要や複数のユーザの登録情報の中から自己の登録情報を選択操作する必要がなくなる。また、設定入力すること自体がなくなるので、入力操作ミスを撲滅することができる。したがって、利便性の高い浴室システムを提供することができる。
【図面の簡単な説明】
【図１】本願発明の第１実施形態にかかる浴室システムを示す概略構成図である。
【図２】図１の浴室システムの電気的構成を示す図である。
【図３】台所リモコンの正面図である。
【図４】浴室リモコンの正面図である。
【図５】心拍数記憶テーブルの一例を示す図である。
【図６】計測装置の内部構成を示す図である。
【図７】第１実施形態にかかる浴室システムの動作を説明するためのフローチャートを示す図である。
【図８】第１実施形態にかかる変形例の浴室システムを示す概略構成図である。
【図９】本願発明の第２実施形態にかかる浴室システムを示す概略構成図である。
【図１０】図９の浴室システムの電気的構成を示す図である。
【図１１】第２実施形態にかかる浴室システムの動作を説明するためのフローチャートを示す図である。
【図１２】第２実施形態にかかる浴室システムの動作を説明するためのフローチャートを示す図である。
【図１３】心拍波形の一例を示す図である。
【図１４】心拍波形の一例を示す図である。
【符号の説明】
１    給湯装置本体
２    台所リモコン
３    浴室リモコン
４    計測装置
５    撮像センサ
６    心拍電極
９    水位検出センサ
１２    本体側マイコン
２５    浴室側マイコン
３５    台所側マイコン
４３    計測側マイコン
【図１】
2004358125.tif 000003
【図２】
2004358125.tif 000004
【図３】
2004358125.tif 000005
【図４】
2004358125.tif 000006
【図５】
2004358125.tif 000007
【図６】
2004358125.tif 000008
【図７】
2004358125.tif 000009
【図８】
2004358125.tif 000010
【図９】
2004358125.tif 000011
【図１０】
2004358125.tif 000012
【図１１】
2004358125.tif 000013
【図１２】
2004358125.tif 000014
【図１３】
2004358125.tif 000015
【図１４】
2004358125.tif 000016